(57)【要約】【課題】コアシステムに対して、Ｃプレーン／Ｕプレーンを総合的に評価する負荷環境を安価に構築すること。【解決手段】本発明のコアシステム負荷評価システムは、複数の拠点にそれぞれ配置された複数の評価システムを有する。前記複数の評価システムの各々は、フェムトセル基地局と、前記フェムトセル基地局を介して実通話を行う端末と、前記端末の発信動作および着信動作を制御する端末制御システムと、を含み、前記複数の評価システムのうちの１つは、さらに、前記複数の評価システムの各々の前記フェムトセル基地局とインターネット網を介して接続されるコアシステムと、前記複数の評価システムの各々の前記端末制御システムをインターネット網を介して遠隔操作する端末制御統合システムと、前記複数の評価システムの各々の前記フェムトセル基地局をインターネット網を介して遠隔操作するフェムトセル制御システムと、を含む。【選択図】図１
2012231285.tif 000002
【特許請求の範囲】
【請求項１】
複数の拠点にそれぞれ配置された複数の評価システムを有し、
前記複数の評価システムの各々は、
フェムトセル基地局と、
前記フェムトセル基地局を介して実通話を行う端末と、
前記端末の発信動作および着信動作を制御する端末制御システムと、を含み、
前記複数の評価システムのうちの１つは、さらに、
前記複数の評価システムの各々の前記フェムトセル基地局とインターネット網を介して接続されるコアシステムと、
前記複数の評価システムの各々の前記端末制御システムをインターネット網を介して遠隔操作する端末制御統合システムと、
前記複数の評価システムの各々の前記フェムトセル基地局をインターネット網を介して遠隔操作するフェムトセル制御システムと、を含む、コアシステム負荷評価システム。
【請求項２】
前記端末制御システムは、
前記端末から送信される送信音声データを保存するメモリと、
前記メモリ上の送信音声データを前記端末に入力する音声データ送信部と、
前記端末で受信された受信音声データを前記端末から入力し、前記メモリに保存させる音声データ受信部と、
前記送信音声データおよび前記受信音声データを、それぞれ送信音声文字データおよび受信音声文字データに文字変換し、前記メモリに保存させる変換部と、を有する、請求項１に記載のコアシステム負荷評価システム。
【請求項３】
前記端末制御統合システムは、
前記複数の評価システムの各々の前記端末制御システムを遠隔操作して、前記複数の評価システムの各々の前記端末に対し、共通の送信音声データを入力し、
前記複数の評価システムの各々の前記端末における送信音声文字データと受信音声文字データとを比較する、請求項２に記載のコアシステム負荷評価システム。
【発明の詳細な説明】
【技術分野】
【０００１】
本発明は、コアシステムに対して、負荷環境を構築して評価を行うコアシステム負荷評価システムに関する。
【背景技術】
【０００２】
コアシステムに対して、負荷環境を構築して評価を行うコアシステム負荷評価システムの例について、図３を参照して説明する。なお、図３においては、評価対象のコアシステムＡがコアノードＡ１〜Ａ３から構成されている。
【０００３】
図３に示すように、関連するコアシステム負荷評価システムにおいては、シミュレータＤ１〜ＤＮ（Ｎは１以上の自然数）をコアシステムＡに接続し、コアシステムＡに対し、シミュレータＤ１〜ＤＮにより負荷環境を構築して評価を実施する。なお、基地局を評価する際に、シミュレータを使用する例については特許文献１に開示されている。
【０００４】
また、端末が接続された基地局Ｅ１〜ＥＭ（Ｍは１以上の自然数）をコアシステムＡに接続し、コアシステムＡに対し、実端末により負荷環境を構築して評価を実施する。
【０００５】
なお、図３において、（Ｘ（Ｘは１以上の自然数）×Ｍ）個の端末Ｅ１１〜ＥＭＸは、基地局Ｅ１〜ＥＭのいずれかに接続され、接続された基地局を介して実通話を行う。また、端末制御システムＥ０は、（Ｘ×Ｍ）個の端末Ｅ１１〜ＥＭＸに接続され、端末Ｅ１１〜ＥＭＸの発信動作および着信動作を制御する。
【先行技術文献】
【特許文献】
【０００６】
【特許文献１】特開２００８−４８１５９号公報
【発明の概要】
【発明が解決しようとする課題】
【０００７】
しかしながら、図３に示した関連するコアシステム負荷評価システムにおいては、次のような課題がある。
【０００８】
第１の課題は、シミュレータにより負荷環境を構築する場合、シミュレータによってはＣ（Control）プレーンの負荷だけしか掛けられないため、Ｃプレーン／Ｕ（User）プレーンを総合的に評価できないということである。
【０００９】
第２の課題は、シミュレータによりＣプレーン／Ｕプレーンの負荷環境を構築する場合、シミュレータの台数が多くなったり、開発コストが高くなったりするため、安価な負荷環境を構築できないということである。
【００１０】
第３の課題は、実基地局に接続された実端末により負荷環境を構築する場合、実基地局を配置するために大きなシールドルームを準備する必要があるため、安価な負荷環境を構築できないということである。
【００１１】
そこで、本発明の目的は、上述した課題を解決し、コアシステムに対して、Ｃプレーン／Ｕプレーンを総合的に評価する負荷環境を安価に構築することができるコアシステム負荷評価システムを提供することにある。
【課題を解決するための手段】
【００１２】
本発明のコアシステム負荷評価システムは、
複数の拠点にそれぞれ配置された複数の評価システムを有し、
前記複数の評価システムの各々は、
フェムトセル基地局と、
前記フェムトセル基地局を介して実通話を行う端末と、
前記端末の発信動作および着信動作を制御する端末制御システムと、を含み、
前記複数の評価システムのうちの１つは、さらに、
前記複数の評価システムの各々の前記フェムトセル基地局とインターネット網を介して接続されるコアシステムと、
前記複数の評価システムの各々の前記端末制御システムをインターネット網を介して遠隔操作する端末制御統合システムと、
前記複数の評価システムの各々の前記フェムトセル基地局をインターネット網を介して遠隔操作するフェムトセル制御システムと、を含む。
【発明の効果】
【００１３】
本発明によれば、コアシステムに対して、Ｃプレーン／Ｕプレーンを総合的に評価する負荷環境を安価に構築することができる。
【図面の簡単な説明】
【００１４】
【図１】本発明の一実施形態のコアシステム負荷評価システムの構成を示す図である。
【図２】図１に示した端末制御システムの構成を示す図である。
【図３】関連するコアシステム負荷評価システムの構成を示す図である。
【発明を実施するための形態】
【００１５】
以下に、本発明を実施するための形態について図面を参照して説明する。
（１）実施形態の構成
図１は、本実施形態のコアシステム負荷評価システムの構成を示す図である。なお、図１において、評価対象のコアシステムＡは図３と同様である。ただし、コアシステムＡを構成するコアノードの個数は、３個に限定されず、コアシステムＡに応じて変化する。
【００１６】
図１に示すように、本実施形態のコアシステム負荷評価システムは、小規模なシールドルームを持つＹ（Ｙは２以上の自然数）個の拠点にそれぞれ設置されたＹ個の評価システム１〜Ｙから構成されている。
【００１７】
評価システム１は、評価対象のコアシステムＡと、コアシステムＡとインターネット網を介して接続され、端末のエンド−エンドの実通話を可能とするアクセスポイントとして動作するフェムトセル基地局１１〜１Ｍ（Ｍは１以上の自然数）と、フェムトセル基地局１１〜１Ｍのいずれかと同軸ケーブルや無線を介して接続され、接続されたフェムトセル基地局を介して実通話を行う（Ｘ（Ｘは１以上の自然数）×Ｍ）個の端末１１１〜１ＭＸと、端末１１１〜１ＭＸとシリアル回線を介して接続され、接続された端末の発信動作および着信動作を制御する端末制御システム１０と、を有している。
【００１８】
評価システム２は、コアシステムＡとインターネット網を介して接続され、端末のエンド−エンドの実通話を可能とするアクセスポイントとして動作するフェムトセル基地局２１〜２Ｍと、フェムトセル基地局２１〜２Ｍのいずれかと同軸ケーブルや無線を介して接続され、接続されたフェムトセル基地局を介して実通話を行う（Ｘ×Ｍ）個の端末２１１〜２ＭＸと、端末２１１〜２ＭＸとシリアル回線を介して接続され、接続された端末の発信動作および着信動作を制御する端末制御システム２０と、を有している。
【００１９】
評価システムＹは、コアシステムＡとインターネット網を介して接続され、端末のエンド−エンドの実通話を可能とするアクセスポイントとして動作するフェムトセル基地局Ｙ１〜ＹＭと、フェムトセル基地局Ｙ１〜ＹＭのいずれかと同軸ケーブルや無線を介して接続され、接続されたフェムトセル基地局を介して実通話を行う（Ｘ×Ｍ）個の端末Ｙ１１〜ＹＭＸと、端末Ｙ１１〜ＹＭＸとシリアル回線を介して接続され、接続された端末の発信動作および着信動作を制御する端末制御システムＹ０と、を有している。
【００２０】
さらに、評価システム１は、評価システム１〜Ｙの各々の端末制御システムをインターネット網を介して遠隔操作する端末制御統合システムＢと、評価システム１〜Ｙの各々のフェムトセル基地局をインターネット網を介して遠隔操作するフェムトセル制御システムＣと、を有している。
【００２１】
図２は、図１に示した端末制御システム１０の構成を示す図である。なお、端末制御システム２０〜Ｙ０も、端末制御システム１０と同様の構成であるとする。
【００２２】
図２に示すように、端末制御システム１０は、音声データ送信部１０１と、音声データ受信部１０２と、メモリ１０３と、音声−文字変換部１０４と、を有している。
【００２３】
メモリ１０３は、端末から送信する送信音声データを保存し、音声データ送信部１０１は、メモリ１０３上の送信音声データを端末のマイク／イヤホン端子へ入力する。これにより、呼接続中の端末間で音声データが送受信される。
【００２４】
音声データ受信部１０２は、端末にて受信された受信音声データを、端末のマイク／イヤホン端子から入力し、メモリ１０３に保存させる。
【００２５】
音声−文字変換部１０４は、メモリ１０３上の送信音声データおよび受信音声データを、それぞれ送信音声文字データおよび受信音声文字データに文字変換し、メモリ１０３に保存させる。これにより、送信音声データと受信音声データとをテキスト文章として比較することが可能となる。
【００２６】
なお、端末制御システム１０内の上記の構成要素は、端末制御統合システムＢにより遠隔操作された指示にしたがって上記の動作を行う。
（２）実施形態の動作
以下、本実施形態のコアシステム負荷評価システムの動作について説明する。
【００２７】
コアシステムＡと評価システム１〜Ｙの各々のフェムトセル基地局とはインターネット網を介して接続されているが、ＩＰＳｅｃ（Security Architecture for Internet Protocol）によるセキュアな回線接続が可能となっている。
【００２８】
評価システム１のフェムトセル制御システムＣは、評価システム１〜Ｙの各々のフェムトセル基地局をインターネット網を介して遠隔操作して、プログラムのダウンロード、パラメータの設定、リセット、統計情報やアラーム情報の入手等を実行させる。
【００２９】
評価システム１の端末制御統合システムＢは、評価システム１〜Ｙの各々の端末制御システムをインターネット網を介して遠隔操作して、評価システム１〜Ｙの各々の端末の発信動作および着信動作を制御する。
（３）実施形態の効果
上述したように本実施形態においては、フェムトセル基地局と端末とからなる評価システム１〜Ｙを各拠点に設置し、フェムトセル制御システムＣと端末制御統合システムＢにより各拠点のフェムトセル基地局と端末制御システムを遠隔操作する。
【００３０】
このように、小型のフェムトセル基地局に接続された実端末により負荷環境を構築するため、大きなシールドルームは必要がない。また、実端末により負荷環境を構築するため、Ｃプレーン／Ｕプレーンを評価することができ、シミュレータを設ける必要がない。また、フェムトセル基地局自体も安価である。
【００３１】
よって、コアシステムＡに対して、Ｃプレーン／Ｕプレーンを総合的に評価する負荷環境を安価に構築することができる。
【００３２】
例えば、フェムトセル制御システムＣがフェムトセル基地局をリセットすることにより、対向ノードの障害発生時のコアシステムＡの評価を行うことも可能である。
【００３３】
また、図３に示した、関連するコアシステム負荷評価システムの場合、評価システムを設置する拠点は１箇所であった。そのため、一般のインターネット網と接続されるフェムトセル基地局は、通信経路が同じになり易く、インターネット網を介した端末間での音声通信に対する音声品質評価などを実施することはできなかった。
【００３４】
これに対して、本実施形態においては、評価システムを複数の拠点に設置するため、例えば、海外拠点と国内拠点など、別拠点に存在する端末間での音声通信に対する音声品質評価を実施することができる。
【００３５】
よって、コアシステムＡだけでなく、インターネット網を含めた通信システム全体としての評価を実施することができる。
【００３６】
例えば、端末制御統合システムＢが、各拠点の端末に対し、共通の送信音声データを入力し、各端末における送信音声文字データと受信音声文字データとをテキスト文章として比較する。これにより、別拠点に存在する端末間での音声通信に対する簡易的な音声品質評価を実施することができる。
【符号の説明】
【００３７】
１〜Ｙ    評価システム
１０〜Ｙ０    端末制御システム
１１〜１Ｍ，２１〜２Ｍ，Ｙ１〜ＹＭ    フェムトセル基地局
１１１〜１ＭＸ，２１１〜２ＭＸ，Ｙ１１〜ＹＭＸ    端末
Ａ    コアシステム
Ａ１〜Ａ３    コアノード
Ｂ    端末制御統合システム
Ｃ    フェムトセル制御システム
【図１】
2012231285.tif 000003
【図２】
2012231285.tif 000004
【図３】
2012231285.tif 000005